(57)【要約】【課題】送信対象となる信号のピークを抑圧するピーク抑圧部１を有する送信機で、ピーク抑圧機能について、ハードウエアの規模の縮小化又は動作率の低減により、低消費電力化を図る。【解決手段】ピーク抑圧部１では、レベル検出手段２１、検出されたレベルと第１の閾値に基づいて抑圧率を演算する抑圧率演算手段２２、２３、抑圧率に基づいて抑圧用信号を生成する抑圧用信号生成手段２４、帯域制限手段Ａ１〜Ａｎ、Ｂ１〜Ｂｎ、２７、抑圧実行手段１１、１２、所定のピークのレベルと第２の閾値との大小関係を判定する判定手段２２、２３、２５を備え、制御手段２６、２７が所定のピークのレベルが第２の閾値を超えることが判定された場合にだけ帯域制限された抑圧用信号を用いて抑圧処理を実行するように制御する。【選択図】  図１
2011071755.tif 000002
【特許請求の範囲】
【請求項１】
送信対象となる信号のピークを抑圧するピーク抑圧部を有する送信機において、
前記ピーク抑圧部は、
前記送信対象となる信号のレベルを検出するレベル検出手段と、
前記レベル検出手段により検出されたレベルと第１の閾値に基づいてピークを抑圧するための抑圧率を演算する抑圧率演算手段と、
前記抑圧率演算手段により演算された抑圧率に基づいて抑圧用信号を生成する抑圧用信号生成手段と、
前記抑圧用信号生成手段により生成された抑圧用信号を帯域制限する帯域制限手段と、
前記帯域制限手段により帯域制限された抑圧用信号又は前記抑圧用信号生成手段により生成された抑圧用信号を用いて、前記送信対象となる信号のピークを抑圧するための処理を実行する抑圧実行手段と、
前記レベル検出手段により検出されたレベルと前記第１の閾値に基づいて、レベルの指標又はレベルに関連する他の指標を用いて、所定のピークのレベルと第２の閾値との大小関係を判定する判定手段と、
前記判定手段により前記所定のピークのレベルが前記第２の閾値を超えること又は前記第２の閾値以上であることが判定された場合には、前記抑圧実行手段により前記帯域制限手段により帯域制限された抑圧用信号を用いて前記送信対象となる信号のピークを抑圧するための処理を実行するように制御する一方、他の場合には、前記抑圧実行手段により前記抑圧用信号生成手段により生成された抑圧用信号を用いて前記送信対象となる信号のピークを抑圧するための処理を実行するように制御する制御手段と、を備えた、
ことを特徴とする送信機。
【発明の詳細な説明】
【技術分野】
【０００１】
本発明は、送信対象となる信号（送信信号）のピークを抑圧するピーク抑圧機能を有する送信機に関し、特に、ピーク抑圧機能について、ハードウエアの規模の縮小化又は動作率の低減により、低消費電力化を図った送信機に関する。
【背景技術】
【０００２】
例えば、ＣＤＭＡ（Ｃｏｄｅ  Ｄｉｖｉｓｉｏｎ  Ｍｕｌｔｉｐｌｅ  Ａｃｃｅｓｓ）方式などを使用する無線通信システムの送信装置に設けられる送信機では、送信信号のピークの電力を抑圧することが行われている。
【０００３】
図６には、ＣＤＭＡ方式を使用する無線通信システムの送信機に設けられて、送信信号のピークの電力を抑圧する従来技術に係るピーク電力抑圧部１０１の構成例を示してある。
本例のピーク電力抑圧部１０１は、遅延部１１１、減算部１１２、送信電力検出部１２１、ピーク検出部１２２、抑圧率算出部１２３、抑圧パルス生成部１２４、テーブル（Ｔａｂｌｅ）制御部１２５、複数であるｎ個の係数格納部Ｃ１〜Ｃｎ、ｎ個の抑圧信号生成部Ｄ１〜Ｄｎ、合成部１２６を備えている。
【０００４】
本例のピーク電力抑圧部１０１において送信信号の突出したピーク信号を低減するために行われる動作の一例を示す。なお、ｔは時刻を表す。また、（式１）〜（式５）は、後述する実施例で参照されるものと同様である。
本例のピーク電力抑圧部１０１には、Ｉ相成分ＡＩ（ｔ）及びＱ相成分ＡＱ（ｔ）から構成される複素信号である送信信号｛ＡＩ（ｔ）、ＡＱ（ｔ）｝が入力され、当該信号が遅延部１１１、送信電力検出部１２１、抑圧パルス生成部１２４に入力される。
【０００５】
送信電力検出部１２１は、入力された送信信号｛ＡＩ（ｔ）、ＡＱ（ｔ）｝の実効電圧Ｖｉｎｔ（ｔ）を算出して、その結果を示す信号をピーク検出部１２２、抑圧率算出部１２３へ出力する。ここで、実効電圧Ｖｉｎｔ（ｔ）は（式１）により算出される。
【０００６】
ピーク検出部１２２は、所定の閾値（閾値電圧）Ｖｔｈのレベルと、送信電力検出部１２１から入力された信号に基づく実効電圧Ｖｉｎｔ（ｔ）のレベルとを比較して、検出区間中において実効電圧Ｖｉｎｔ（ｔ）のレベルが閾値Ｖｔｈのレベルを超えたことを判定した場合には、最大値のピークを検出することを行い、その検出の有無を示すピーク検出信号を抑圧率算出部１２３、テーブル制御部１２５へ出力する。ここで、閾値Ｖｔｈは、例えば、（式２）、（式３）により算出される。
【０００７】
抑圧率算出部１２３は、送信電力検出部１２１から入力された実効電圧Ｖｉｎｔ（ｔ）、ピーク検出部１２２から入力されたピーク検出信号、及び閾値Ｖｔｈに基づいて、抑圧率Ｇａｉｎ（ｔ）を算出し、その結果を示す信号を抑圧パルス生成部１２４へ出力する。ここで、抑圧率Ｇａｉｎ（ｔ）は（式４）により算出される。
【０００８】
抑圧パルス生成部１２４は、抑圧率算出部１２３から入力された信号に基づく抑圧率Ｇａｉｎ（ｔ）と、ピーク電力抑圧部１０１への入力信号である入力された送信信号｛ＡＩ（ｔ）、ＡＱ（ｔ）｝に基づいて、ピーク検出された信号を閾値のレベル（ここでは、閾値Ｖｔｈのレベル）まで低減させるためのＩ相成分Ａ’Ｉ（ｔ）及びＱ相成分Ａ’Ｑ（ｔ）から構成される値｛Ａ’Ｉ（ｔ）、Ａ’Ｑ（ｔ）｝を示すパルス信号を生成して、各抑圧信号生成部Ｄ１〜Ｄｎへ出力する。ここで、この値｛Ａ’Ｉ（ｔ）、Ａ’Ｑ（ｔ）｝は、（式５）により算出される。
【０００９】
複数の係数格納部Ｃ１〜Ｃｎは、例えばメモリを用いて構成されており、帯域制限フィルタの係数を格納している。各係数格納部Ｃ１〜Ｃｎは、テーブル制御部１２５から入力される制御信号に従って、格納された係数を示す信号を対応する各抑圧信号生成部Ｄ１〜Ｄｎへ出力する。ここで、帯域制限フィルタの係数は、Ｉ相成分とＱ相成分から構成されている。
【００１０】
テーブル制御部１２５は、ピーク検出部１２２から入力されたピーク検出信号に基づいて複数の係数格納部Ｃ１〜Ｃｎのそれぞれへ制御信号を出力して、ピーク検出部１２２によるピーク検出があった場合に複数の係数格納部Ｃ１〜Ｃｎを起動させることで、ピーク検出部１２２によるピーク検出が為される毎に複数の係数格納部Ｃ１〜Ｃｎを順次起動させる。各係数格納部Ｃ１〜Ｃｎは、起動された場合に、格納された係数を示す信号を対応する各抑圧信号生成部Ｄ１〜Ｄｎへ出力する。
【００１１】
複数の抑圧信号生成部Ｄ１〜Ｄｎは、それぞれ、抑圧パルス生成部１２４から入力されるパルス信号に基づく値｛Ａ’Ｉ（ｔ）、Ａ’Ｑ（ｔ）｝と、対応する係数格納部Ｃ１〜Ｃｎから入力される信号に基づく係数とを複素乗算し、その結果を示す信号（Ｉ相成分とＱ相成分から構成される複素信号）を合成部１２６へ出力する。
合成部１２６は、複数の抑圧信号生成部Ｄ１〜Ｄｎから入力された信号を合成（加算）してその結果を示す信号（Ｉ相成分とＱ相成分から構成される複素信号）を抑圧用信号として減算部１１２へ出力する。
【００１２】
遅延部１１１は、ピーク電力抑圧部１０１への入力信号である入力された送信信号｛ＡＩ（ｔ）、ＡＱ（ｔ）｝を遅延させて減算部１１２へ出力する。
減算部１１２は、遅延部１１１から入力された信号から、合成部１２６から入力された抑圧用信号を減算して、その結果の信号をピーク電力抑圧後の信号として出力する。本例では、この出力信号は、例えば、必要な処理を施された後に、アンテナ（図示せず）から無線により送信される。
【００１３】
なお、送信機のリミッタ（ピーク電力抑圧機能）については、従来において、種々な検討等が為されていた（例えば、特許文献１〜４参照。）。
【先行技術文献】
【特許文献】
【００１４】
【特許文献１】特開２００８−１９９４９０号公報
【特許文献２】国際公開第２００６／０４９１４０号パンフレット
【特許文献３】特開２００５−０９４４２６号公報
【特許文献４】特開２００５−０２０５０５号公報
【発明の概要】
【発明が解決しようとする課題】
【００１５】
従来の送信機におけるピーク電力抑圧部では、次のような問題があった。
無線通信において通信に使用される周波数帯域は制限される。このため、電力増幅器の非線形歪による周波数スペクトラムの拡大を低く押さえる必要がある。このような要求から、例えば、符号多重信号を電力増幅器で増幅するような場合には、線形領域で動作させる必要がある。
【００１６】
従来から適用されている、デジタルの中間周波数（ＩＦ：Ｉｎｔｅｒｍｅｄｉａｔｅ  Ｆｒｅｑｕｅｎｃｙ）領域でのピークレベル低減機能としては、ピーク検出を行って、抑圧率を施された信号をフィルタリングすることによって実現している。そして、このハードウエア的な実現方法としては、（実現方法１）ピーク抑圧用の信号（抑圧用信号）を単純にＦＩＲ（Ｆｉｎｉｔｅ  Ｉｍｐｕｌｓｅ  Ｒｅｓｐｏｎｓｅ）の帯域制限フィルタに入力する方法や、（実現方法２）ピークを検出する毎に帯域制限フィルタのインパルス応答が格納されたテーブル（係数の格納部）を起動する方法、などがある。
【００１７】
しかしながら、（実現方法１）ではフィルタの係数長分の乗算器が必要となり、（実現方法２）ではメモリにより係数を格納することから例えばテーブルを複数持つとメモリの使用量が増えてしまい、これらの実現方法において、共に、ハードウエアの規模が増加してしまうという問題があった。
また、例えば、ハードウエアの規模を増加させない場合には動作率が大きくなってしまうという問題があり、いずれにしても、消費電力が大きくなるという問題があった。
【００１８】
本発明は、このような従来の事情に鑑み為されたもので、送信対象となる信号のピークを抑圧するピーク抑圧機能について、ハードウエアの規模の縮小化又は動作率の低減により、低消費電力化を図ることができる送信機を提供することを目的とする。
【課題を解決するための手段】
【００１９】
上記目的を達成するため、本発明では、送信対象となる信号のピークを抑圧するピーク抑圧部を有する送信機において、前記ピーク抑圧部を次のような構成とした。
すなわち、レベル検出手段が、前記送信対象となる信号のレベルを検出する。抑圧率演算手段が、前記レベル検出手段により検出されたレベルと第１の閾値に基づいて、ピークを抑圧するための抑圧率を演算する。抑圧用信号生成手段が、前記抑圧率演算手段により演算された抑圧率に基づいて、抑圧用信号を生成する。帯域制限手段が、前記抑圧用信号生成手段により生成された抑圧用信号を帯域制限する。抑圧実行手段が、  前記帯域制限手段により帯域制限された抑圧用信号又は前記抑圧用信号生成手段により生成された抑圧用信号を用いて、前記送信対象となる信号のピークを抑圧するための処理を実行する。判定手段が、前記レベル検出手段により検出されたレベルと前記第１の閾値に基づいて、レベルの指標又はレベルに関連する他の指標を用いて、所定のピークのレベルと第２の閾値との大小関係を判定する。制御手段が、前記判定手段により前記所定のピークのレベルが前記第２の閾値を超えること（又は、前記第２の閾値以上であること）が判定された場合には、前記抑圧実行手段により前記帯域制限手段により帯域制限された抑圧用信号を用いて前記送信対象となる信号のピークを抑圧するための処理を実行するように制御する一方、他の場合（すなわち、前記判定手段により前記所定のピークのレベルが前記第２の閾値以下であること（又は、前記第２の閾値未満であること）が判定された場合）には、前記抑圧実行手段により前記抑圧用信号生成手段により生成された抑圧用信号を用いて前記送信対象となる信号のピークを抑圧するための処理を実行するように制御する。
【００２０】
従って、所定の閾値（第２の閾値）に基づいて、所定のピークのレベルが大きい場合にのみ、帯域制限された抑圧用信号を用いて送信対象となる信号のピークを抑圧する一方、他の場合（所定のピークのレベルが小さい場合）には、帯域制限されていない抑圧用信号を用いて送信対象となる信号のピークを抑圧することが行われるため、例えば、必要なときだけ帯域制限が行われればよく、送信対象となる信号のピークを抑圧するピーク抑圧機能について、ハードウエアの規模の縮小化又は動作率の低減により、低消費電力化を図ることが可能である。
【００２１】
ここで、ピーク抑圧部の構成としては、種々なものが用いられてもよい。
また、送信機が適用される対象としては、種々なシステムの装置が用いられてもよく、例えば、送信機能を有する送信装置や、送信機能と受信機能を有する送受信装置（通信装置）に適用することができる。
また、信号のレベルとしては、例えば、電圧のレベルや、電力のレベルなど、種々なものが用いられてもよい。
【００２２】
また、第１の閾値としては、種々な値が用いられてもよい。
一例として、第１の閾値を超える（又は、第１の閾値以上となる）ピークを抑圧対象とし、所定のピークのレベル（例えば、所定の検出区間中で最大値となる信号レベル）を基準として抑圧率を演算する。ここで、所定の検出区間としては、種々な区間が用いられてもよく、例えば、１個以上の任意の数のシンボルの区間を用いることができる。
【００２３】
また、抑圧用信号としては、種々な信号が用いられてもよく、例えば、送信対象となる信号に対して加算或いは減算するための信号が用いられてもよく、又は、送信対象となる信号に対して乗算或いは除算するための信号が用いられてもよい。
また、抑圧実行手段により実行される処理としては、例えば、送信対象となる信号と（帯域制限された又は帯域制限されていない）抑圧用信号について、加算、減算、乗算、除算のいずれかの処理を用いることができる。
なお、Ｉ相成分及びＱ相成分から構成される複素信号が扱われる場合には、複素数の演算が行われる。
【００２４】
また、帯域制限としては、種々なものが用いられてもよい。
また、帯域制限する機能を１つ設ける態様ばかりでなく、例えば、帯域制限する機能を複数設けてもよく、具体例として、送信対象となる信号が複数のキャリアの信号から構成される場合に、各キャリア毎に帯域制限する機能を設けるようなことができる。
【００２５】
また、判定手段により所定のピークのレベルと第２の閾値との大小関係を判定する手法としては、種々な手法が用いられてもよく、例えば、レベルを指標として、所定のピークのレベルと第２の閾値とを直接的に比較するような手法が用いられてもよく、或いは、レベル以外の他の指標を用いて、所定のピークのレベルに対応した他の指標の値とその閾値（第２の閾値に対応した閾値）とを比較するような手法が用いられてもよい。レベル以外の他の指標としては、例えば、所定のピークのレベルに対応した抑圧率の値を用いることができる。
【００２６】
また、制御手段により、送信対象となる信号のピークを抑圧するための処理に用いられる抑圧用信号を、帯域制限された抑圧用信号と帯域制限されていない抑圧用信号とで切り替える（選択する）ための構成としては、種々な構成が用いられてもよく、例えば、帯域制限されていない抑圧用信号が用いられる場合（帯域制限された抑圧用信号が用いられない場合）には、帯域制限の処理が行われないように制御して、効率化を図ることができる。
【発明の効果】
【００２７】
以上説明したように、本発明に係る送信機によると、例えば、送信対象となる信号のピークを抑圧するピーク抑圧機能について、ハードウエアの規模の縮小化又は動作率の低減により、低消費電力化を図ることができる。
【図面の簡単な説明】
【００２８】
【図１】本発明の一実施例に係るピーク電力抑圧部の構成例を示す図である。
【図２】（ａ）〜（ｄ）は従来技術と本提案に関してスペクトル波形の例を示す図である。
【図３】（ａ）〜（ｃ）は従来技術と本提案に関して相補累積分布関数（ＣＣＤＦ）の波形の例を示す図である。
【図４】従来技術と本提案に関して帯域制限テーブルの起動回数の例を示す図である。
【図５】（ａ）〜（ｃ）はピーク電力抑圧部において行われる動作の概要を説明するための図である。
【図６】従来技術に係るピーク電力抑圧部の構成例を示す図である。
【発明を実施するための形態】
【００２９】
本発明に係る実施例を図面を参照して説明する。
図１には、ＣＤＭＡ方式を使用する無線通信システムの送信機に設けられて、送信信号のピークの電力を抑圧する本発明の一実施例に係るピーク電力抑圧部１の構成例を示してある。
本例のピーク電力抑圧部１は、遅延部１１、減算部１２、送信電力検出部２１、ピーク検出部２２、抑圧率算出部２３、抑圧パルス生成部２４、比較部２５、テーブル（Ｔａｂｌｅ）制御部２６、複数であるｎ個の係数格納部Ａ１〜Ａｎ、ｎ個の抑圧信号生成部Ｂ１〜Ｂｎ、合成部２７を備えている。
【００３０】
本例のピーク電力抑圧部１において送信信号の突出したピーク信号を低減するために行われる動作の一例を示す。なお、ｔは時刻を表す。また、本例では、信号のレベルとして、電圧を用いるが、他の構成例として、電力が用いられてもよい。
本例のピーク電力抑圧部１には、Ｉ相成分ＡＩ（ｔ）及びＱ相成分ＡＱ（ｔ）から構成される複素信号である送信信号｛ＡＩ（ｔ）、ＡＱ（ｔ）｝が入力され、当該信号が遅延部１１、送信電力検出部２１、抑圧パルス生成部２４に入力される。
【００３１】
送信電力検出部２１は、入力された送信信号｛ＡＩ（ｔ）、ＡＱ（ｔ）｝の実効電圧Ｖｉｎｔ（ｔ）を算出して、その結果を示す信号をピーク検出部２２、抑圧率算出部２３へ出力する。ここで、実効電圧Ｖｉｎｔ（ｔ）は（式１）により算出される。
【００３２】
【数１】
2011071755.tif 000003
【００３３】
ピーク検出部２２は、例えば予め設定された第１の閾値（閾値電圧）Ｖｔｈ１のレベルと、送信電力検出部２１から入力された信号に基づく実効電圧Ｖｉｎｔ（ｔ）のレベルとを比較して、検出区間中において実効電圧Ｖｉｎｔ（ｔ）のレベルが第１の閾値Ｖｔｈ１のレベルを超えたことを判定した場合には、最大値のピークを検出することを行い、その検出の有無を示すピーク検出信号を抑圧率算出部２３、比較部２５へ出力する。
【００３４】
ここで、検出区間としては、例えば、シンボル単位のサンプル単位（例えば、３２ポイント）のような値を用いる。
また、閾値Ｖｔｈ（ここでは、第１の閾値Ｖｔｈ１）は、例えば、（式２）、（式３）により算出される。具体的には、実効電圧Ｖｉｎｔ（ｔ）の平均値Ａｖｇは、平均を行う区間（時間）の長さをＴとすると、（式２）により算出される。そして、閾値Ｖｔｈとして（平均電圧Ａｖｇ＋６ｄＢ）を設定するとすると、閾値Ｖｔｈは（式３）により算出される。
【００３５】
【数２】
2011071755.tif 000004
【００３６】
【数３】
2011071755.tif 000005
【００３７】
抑圧率算出部２３は、送信電力検出部２１から入力された実効電圧Ｖｉｎｔ（ｔ）、ピーク検出部２２から入力されたピーク検出信号、及び第１の閾値Ｖｔｈ１に基づいて、抑圧率Ｇａｉｎ（ｔ）を算出し、その結果を示す信号を抑圧パルス生成部２４、比較部２５へ出力する。ここで、ピーク検出部２２によりピークが検出されたときの実効電圧Ｖｉｎｔ（ｔ）の値をＶｍａｘ（ｔ）とすると、抑圧率Ｇａｉｎ（ｔ）は（式４）により算出される。なお、（式４）における閾値Ｖｔｈは、ここでは、第１の閾値Ｖｔｈ１を表す。また、（式４）において、Ｖｍａｘ（ｔ）が閾値Ｖｔｈ以下となる場合については、ピーク検出部２２において所定のピーク（閾値Ｖｔｈを超えるピーク）は検出されないため、Ｖｍａｘ（ｔ）はＶｉｎｔ（ｔ）のことを表わしている。
【００３８】
【数４】
2011071755.tif 000006
【００３９】
抑圧パルス生成部２４は、抑圧率算出部２３から入力された信号に基づく抑圧率Ｇａｉｎ（ｔ）と、ピーク電力抑圧部１への入力信号である入力された送信信号｛ＡＩ（ｔ）、ＡＱ（ｔ）｝に基づいて、ピーク検出部２２によりピークが検出された信号を閾値のレベル（ここでは、第１の閾値Ｖｔｈ１のレベル）まで低減させるためのＩ相成分Ａ’Ｉ（ｔ）及びＱ相成分Ａ’Ｑ（ｔ）から構成される値｛Ａ’Ｉ（ｔ）、Ａ’Ｑ（ｔ）｝を示すパルス信号を生成して、各抑圧信号生成部Ｂ１〜Ｂｎ、合成部２７へ出力する。ここで、この値｛Ａ’Ｉ（ｔ）、Ａ’Ｑ（ｔ）｝は、（式５）により算出される。
【００４０】
【数５】
2011071755.tif 000007
【００４１】
比較部２５は、例えば予め設定された第２の閾値Ｖｔｈ２と、ピーク検出部２２から入力されたピーク検出信号と、抑圧率算出部２３から入力された信号に基づく抑圧率Ｇａｉｎ（ｔ）に基づいて、ピーク検出部２２により検出されたピークの抑圧率Ｇａｉｎ（ｔ）の値が第２の閾値Ｖｔｈ２を超えたことを判定した場合には、帯域制限フラグ（有効な帯域制限フラグ）をテーブル制御部２６、合成部２７へ出力する一方、ピークの抑圧率Ｇａｉｎ（ｔ）の値が第２の閾値Ｖｔｈ２以下であることを判定した場合には、帯域制限フラグをマスクする（すなわち、出力しない、或いは、出力しても無効な信号とする）。
【００４２】
ここで、本例では、ピーク検出部２２により検出されたピークの抑圧率Ｇａｉｎ（ｔ）の値と第２の閾値Ｖｔｈ２とを比較する構成例を示したが、他の構成例として、ピーク検出部２２により検出されたピークの電圧のレベルと第２の閾値（この例では、閾値電圧）Ｖｔｈ２のレベルとを比較する構成を用いることも可能である。具体的には、ピーク検出部２２により検出されたピークの電圧のレベルが第２の閾値Ｖｔｈ２のレベルを超えたことを判定した場合には、帯域制限フラグをテーブル制御部２６、合成部２７へ出力する一方、ピーク検出部２２により検出されたピークの電圧のレベルが第２の閾値Ｖｔｈ２のレベル以下であることを判定した場合には、帯域制限フラグをマスクする。
【００４３】
なお、ピーク検出部２２により検出されたピークの電圧Ｖｍａｘ（ｔ）のレベルは、例えば、閾値Ｖｔｈ（ここでは、第１の閾値Ｖｔｈ１）、抑圧率Ｇａｉｎ（ｔ）を用いて、（式４）により算出することができる。この場合、抑圧率Ｇａｉｎ（ｔ）＝０のときには、ピークの電圧Ｖｍａｘ（ｔ）のレベルを特定することができないが、例えば、この場合には帯域制限フラグをマスクする構成とする。
【００４４】
また、本例では、第１の閾値Ｖｔｈ１に対応するピーク電力抑圧部１への入力信号の電力（入力電力）よりも、第２の閾値Ｖｔｈ２に対応するピーク電力抑圧部１への入力信号の電力（入力電力）の方が大きくなるように設定されている。
【００４５】
複数の係数格納部Ａ１〜Ａｎは、例えばメモリを用いて構成されており、帯域制限フィルタの係数を格納している。各係数格納部Ａ１〜Ａｎは、テーブル制御部２６から入力される制御信号に従って、格納された係数を示す信号を対応する各抑圧信号生成部Ｂ１〜Ｂｎへ出力する。ここで、帯域制限フィルタの係数は、Ｉ相成分とＱ相成分から構成されている。
【００４６】
テーブル制御部２６は、比較部２５から入力される帯域制限フラグに基づいて複数の係数格納部Ａ１〜Ａｎのそれぞれへ制御信号を出力して、帯域制限フラグが入力された場合には複数の係数格納部Ａ１〜Ａｎを起動させる一方、帯域制限フラグがマスクされた場合には複数の係数格納部Ａ１〜Ａｎを起動させないようにすることで、これら複数の係数格納部Ａ１〜Ａｎを必要な場合に順次起動させる。各係数格納部Ａ１〜Ａｎは、起動された場合に、格納された係数を示す信号を対応する各抑圧信号生成部Ｂ１〜Ｂｎへ出力する。
【００４７】
複数の抑圧信号生成部Ｂ１〜Ｂｎは、それぞれ、抑圧パルス生成部２４から入力されるパルス信号に基づく値｛Ａ’Ｉ（ｔ）、Ａ’Ｑ（ｔ）｝と、対応する係数格納部Ａ１〜Ａｎから入力される信号に基づく係数とを複素乗算し、その結果を示す信号（Ｉ相成分とＱ相成分から構成される複素信号）を合成部２７へ出力する。
【００４８】
合成部２７は、比較部２５から帯域制限フラグ（有効な帯域制限フラグ）が入力された場合には、複数の抑圧信号生成部Ｂ１〜Ｂｎから入力された信号を合成（加算）してその結果を示す信号（Ｉ相成分とＱ相成分から構成される複素信号）を抑圧用信号として減算部１２へ出力する一方、比較部２５からの帯域制限フラグがマスクされた場合（入力されなかった場合、或いは、入力されても無効であった場合）には、抑圧パルス生成部２４から入力されたパルス信号を抑圧用信号として減算部１２へ出力する。
【００４９】
ここで、本例では、複数の係数格納部Ａ１〜Ａｎ及び複数の抑圧信号生成部Ｂ１〜Ｂｎを用いて複数の帯域制限フィルタが構成されており、具体的には、対応する１個の係数格納部Ａ１〜Ａｎと１個の抑圧信号生成部Ｂ１〜Ｂｎから１個の帯域制限フィルタが構成されており、例えば、マルチキャリアの入力信号に対して、それぞれのキャリアに対応した帯域制限フィルタを構成して使用することができる。
【００５０】
遅延部１１は、ピーク電力抑圧部１への入力信号である入力された送信信号｛ＡＩ（ｔ）、ＡＱ（ｔ）｝を遅延させて減算部１２へ出力する。ここで、この遅延時間としては、ピーク電力抑圧部１への入力信号と当該入力信号に対する合成部２７からの出力信号とのタイミングが合うように調整するための時間が用いられる。
減算部１２は、遅延部１１から入力された信号から、合成部２７から入力された抑圧用信号を減算して、その結果の信号をピーク電力抑圧後の信号として出力する。本例では、この出力信号は、例えば、必要な処理を施された後に、アンテナ（図示せず）から無線により送信される。
【００５１】
ここで、図５（ａ）〜（ｃ）を参照して、本例のピーク電力抑圧部１において行われる動作の概要を説明する。
図５（ａ）には、本例のピーク電力抑圧部１について、横軸に入力信号の電力（入力電力）を表わし縦軸に出力信号の電力（出力電力）を表わしたグラフを示してある。本例では、第１の閾値Ｖｔｈ１に対応した入力電力は、設計値上限が設定された出力電力に対応したものとなっており、また、第２の閾値Ｖｔｈ２に対応した入力電力は、第１の閾値Ｖｔｈ１に対応した入力電力よりも大きくなっている。
そして、本例では、入力電力が第１の閾値Ｖｔｈ１を超えるが第２の閾値Ｖｔｈ２を超えないときには抑圧用信号をそのまま（帯域制限フィルタによる窓（テーブル）をかけずに）使用し、また、入力電力が第２の閾値Ｖｔｈ２を超えたときには抑圧用信号に帯域制限フィルタによる窓（テーブル）をかけたものを使用する。
【００５２】
図５（ｂ）には、横軸に時間を表し縦軸に信号レベル（電力のレベル）を表わしたグラフに、入力信号の一例を示してある。
図５（ｃ）には、図５（ｂ）に示される入力信号について、横軸に時間を表し縦軸に信号レベル（電力のレベル）を表わしたグラフに、抑圧用信号の一例を示してある。
図５（ｂ）、（ｃ）に示されるように、入力電力が第１の閾値Ｖｔｈ１を超えるが第２の閾値Ｖｔｈ２を超えないときには抑圧用信号がパルス状のままとなっており、また、入力電力が第２の閾値Ｖｔｈ２を超えたときには抑圧用信号に窓がかけられている。
【００５３】
このように、本例では、帯域制限フィルタのテーブル（本例では、係数格納部Ａ１〜Ａｎ）の起動を抑えることにより、リソースの有効活用を図ることができる。これにより、必要な箇所（レベルが大きい箇所）だけテーブルを起動させてかけることができ、効率化を図ることができる。なお、通常は、抑圧用信号の抑圧量が小さい所でテーブルをかけても、性能的には劣化はほとんど無いと考えられる。
【００５４】
次に、本例のピーク電力抑圧部１により得られる効果の具体例を説明する。
例えば、Ｗ（Ｗｉｄｅｂａｎｄ）−ＣＤＭＡ方式を使用する送信機において、約２５０００のデータを用いた場合を想定する。
図２（ａ）〜（ｄ）には、この場合について、従来技術と本提案（本例のピーク電力抑圧部１）に関して、スペクトル波形の例を示してある。横軸は周波数［ＭＨｚ］を表わしており、縦軸はレベル［ｄＢ］を表わしている。
図３（ａ）〜（ｃ）には、この場合について、従来技術と本提案（本例のピーク電力抑圧部１）に関して、相補累積分布関数（ＣＣＤＦ：Ｃｏｍｐｌｅｍｅｔａｒｙ  Ｃｕｍｕｌａｔｉｖｅ  Ｄｉｓｔｒｉｂｕｔｉｏｎ  Ｆｕｎｃｔｉｏｎ）の波形の例を示してある。横軸はピークの平均との比（Ｐｅａｋ  ｔｏ  Ａｖｅｒａｇｅ  Ｒａｔｉｏ）［ｄＢ］を表わしており、縦軸はＣＣＤＦを表わしている。
【００５５】
図２、図３において、ラベル“入力信号”は、ピーク電力抑圧部への入力信号を示している。
また、ラベル“従来技術”は、従来技術に係るピーク電力抑圧部の出力信号を示している。
また、ラベル“６．４％”は、本例のピーク電力抑圧部１において、第２の閾値Ｖｔｈ２として６．４％の抑圧率Ｇａｉｎ（ｔ）に対応する値を設定した場合におけるピーク電力抑圧部１の出力信号を示している。この場合、抑圧率Ｇａｉｎ（ｔ）が６．４％以下であるときには帯域制限を施さない。
また、ラベル“１２．８％”は、本例のピーク電力抑圧部１において、第２の閾値Ｖｔｈ２として１２．８％の抑圧率Ｇａｉｎ（ｔ）に対応する値を設定した場合におけるピーク電力抑圧部１の出力信号を示している。この場合、抑圧率Ｇａｉｎ（ｔ）が１２．８％以下であるときには帯域制限を施さない。
なお、抑圧率Ｇａｉｎ（ｔ）が１００％のときに、入力信号の電圧（入力電圧）＝抑圧用信号の電圧（抑圧電圧）となる。
【００５６】
図２に示されるように、スペクトル的には、閾値の上昇と共にノイズフロアの劣化（ＣＮ（Ｃａｒｒｉｅｒ  ｔｏ  Ｎｏｉｓｅ）の劣化）が見られるが、図３に示されるように、ＣＣＤＦでは、顕著な劣化は見られない。
また、詳しい説明は省略するが、変調精度的には、低い抑圧用信号は周囲の信号に影響を与えないため、有効であると考えられる。
【００５７】
図４の表には、従来技術と本提案に関して、帯域制限フィルタのテーブル（帯域制限テーブル）の起動回数の例を示してある。なお、“従来技術”、“６．４％”、“１２．８％”については、図２、図３におけるものと同様である。
図４に示されるように、帯域制限テーブルを必ず起動する従来技術と比べて、本提案の構成を用いると、帯域制限テーブルの起動回数を低減することが可能であり、この結果、例えば、メモリのリソースの低減、又は、動作率の低減を実現することができ、低消費電力化を実現することが可能となる。
【００５８】
このように、本例では、ＣＮの劣化が見られるものの、帯域制限テーブルの起動回数を低減することが可能であり、例えば、システム仕様により最適化を行うことにより、メモリの使用を最適化したピーク電力抑圧部１を実現することができる。
【００５９】
以上のように、本例では、送信機におけるピーク電力を抑圧するピーク電力抑圧部１において、送信機における送信レベルを検出する送信電力検出部２１と、送信電力検出部２１の出力と第１の閾値Ｖｔｈ１のレベルとの比較を行って所定のピークを検出するピーク検出部２２と、ピーク検出部２２により検出されたピークのレベルと第１の閾値Ｖｔｈ１のレベルを用いて抑圧率Ｇａｉｎ（ｔ）を計算（算出）する抑圧率算出部２３と、抑圧率算出部２３の出力とピーク電力抑圧部１に入力される入力信号からパルス状の信号を生成する抑圧パルス生成部（抑圧用信号生成部）２４と、抑圧率算出部２３の出力と第２の閾値Ｖｔｈ２のレベルとを比較する比較部２５と、帯域制限フィルタの係数を格納する複数の係数格納部Ａ１〜Ａｎと、比較部２５の出力により複数の係数格納部Ａ１〜Ａｎを制御するテーブル制御部２６と、抑圧パルス生成部２４の出力と係数格納部Ａ１〜Ａｎの出力（帯域制限信号）とを乗算する複数の抑圧信号生成部（帯域制限部）Ｂ１〜Ｂｎと、比較部２５の出力に応じて複数の抑圧信号生成部Ｂ１〜Ｂｎの出力を合成して出力する又は抑圧パルス生成部２４の出力を出力する合成部２７と、入力信号を遅延させる遅延部１１と、遅延部１１の出力から合成部２７の出力を減算する減算部１２と、を備えた。
【００６０】
このように、本例のピーク電力抑圧部１では、例えば、所定のピークを検出する毎に帯域制限フィルタのインパルス応答が格納されたテーブル（本例では、係数格納部Ａ１〜Ａｎ）を起動する方法をベースとして、更に、所定のピークの検出レベルに応じてテーブルを起動させるか否か（テーブルの起動の採否）を判定して制御する機能を備えており、これにより、例えば、従来技術と比べて、メモリの使用量を抑えたピーク電力抑圧機能を有する送信機を実現することができる。
【００６１】
ここで、他の構成例（構成例Ｘ１）として、抑圧パルス生成部２４、比較部２５、抑圧信号生成部Ｂ１〜Ｂｎ、合成部２７を次のような構成とすることが可能である。
すなわち、抑圧パルス生成部２４はパルス信号を各抑圧信号生成部Ｂ１〜Ｂｎへ出力し、比較部２５は帯域制限フラグをテーブル制御部２６と各抑圧信号生成部Ｂ１〜Ｂｎへ出力し、各抑圧信号生成部Ｂ１〜Ｂｎは比較部２５から帯域制限フラグ（有効な帯域制限フラグ）が入力された場合には抑圧パルス生成部２４からの入力信号と対応する各係数格納部Ａ１〜Ａｎからの係数とを複素乗算してその結果を合成部２７へ出力する一方で他の場合（帯域制限フラグが入力されなかった場合、又は、入力されても無効なものであった場合）には抑圧パルス生成部２４からの入力信号をそのまま合成部２７へ出力し、合成部２７は各抑圧信号生成部Ｂ１〜Ｂｎからの入力信号を合成してその結果を減算部１２へ出力する。
【００６２】
また、上記した（構成例Ｘ１）に関して更に他の構成例として、帯域制限フラグが入力されなくても各抑圧信号生成部Ｂ１〜Ｂｎが対応する各係数格納部Ａ１〜Ａｎからの入力の状況に基づいて帯域制限フラグの状態（有効であるか否か）を判定することができる構成では、比較部２５からの帯域制限フラグが各抑圧信号生成部Ｂ１〜Ｂｎに入力されなくてもよい。
【００６３】
また、他の構成例（構成例Ｘ２）として、減算部１２の代わりに乗算部を備えて、当該乗算部が遅延部１１からの入力信号と合成部２７からの入力信号とを複素乗算してその結果を出力する構成とすることが可能である。この場合、抑圧率算出部２３は（式６）に示される抑圧率Ｇａｉｎ（ｔ）を算出し、抑圧パルス生成部２４は抑圧率Ｇａｉｎ（ｔ）の値を有するパルス信号を出力し、比較部２５はピークの抑圧率Ｇａｉｎ（ｔ）の値が第２の閾値Ｖｔｈ２未満であることを判定した場合には帯域制限フラグ（有効な帯域制限フラグ）を出力する一方でピークの抑圧率Ｇａｉｎ（ｔ）の値が第２の閾値Ｖｔｈ２以上であることを判定した場合には帯域制限フラグをマスクする（すなわち、出力しない、或いは、出力しても無効な信号とする）。なお、この構成では、抑圧パルス生成部２４にピーク電力抑圧部１への入力信号が入力されなくてもよい。また、（式６）において、Ｖｍａｘ（ｔ）が閾値Ｖｔｈ以下となる場合については、ピーク検出部２２において所定のピーク（閾値Ｖｔｈを超えるピーク）は検出されないため、Ｖｍａｘ（ｔ）はＶｉｎｔ（ｔ）のことを表わしている。
【００６４】
【数６】
2011071755.tif 000008
【００６５】
なお、本例のピーク電力抑圧部１（ピーク抑圧部の一例）では、送信電力検出部２１の機能によりレベル検出手段が構成されており、ピーク検出部２２や抑圧率算出部２３の機能により抑圧率算出手段が構成されており、抑圧パルス生成部２４の機能により抑圧用信号生成手段が構成されており、係数格納部Ａ１〜Ａｎや抑圧信号生成部Ｂ１〜Ｂｎや合成部２７の機能により帯域制限手段が構成されており、遅延部１１や減算部１２の機能により抑圧実行手段が構成されており、ピーク検出部２２や抑圧率算出部２３や比較部２５の機能により判定手段が構成されており、テーブル制御部２６や合成部２７の機能により制御手段が構成されている。
【００６６】
ここで、本発明に係るシステムや装置などの構成としては、必ずしも以上に示したものに限られず、種々な構成が用いられてもよい。また、本発明は、例えば、本発明に係る処理を実行する方法或いは方式や、このような方法や方式を実現するためのプログラムや当該プログラムを記録する記録媒体などとして提供することも可能であり、また、種々なシステムや装置として提供することも可能である。
また、本発明の適用分野としては、必ずしも以上に示したものに限られず、本発明は、種々な分野に適用することが可能なものである。
また、本発明に係るシステムや装置などにおいて行われる各種の処理としては、例えばプロセッサやメモリ等を備えたハードウエア資源においてプロセッサがＲＯＭ（Ｒｅａｄ  Ｏｎｌｙ  Ｍｅｍｏｒｙ）に格納された制御プログラムを実行することにより制御される構成が用いられてもよく、また、例えば当該処理を実行するための各機能手段が独立したハードウエア回路として構成されてもよい。
また、本発明は上記の制御プログラムを格納したフロッピー（登録商標）ディスクやＣＤ（Ｃｏｍｐａｃｔ  Ｄｉｓｃ）−ＲＯＭ等のコンピュータにより読み取り可能な記録媒体や当該プログラム（自体）として把握することもでき、当該制御プログラムを当該記録媒体からコンピュータに入力してプロセッサに実行させることにより、本発明に係る処理を遂行させることができる。
【符号の説明】
【００６７】
１、１０１・・ピーク電力抑圧部、  １１、１１１・・遅延部、  １２、１１２・・減算部、  ２１、１２１・・送信電力検出部、  ２２、１２２・・ピーク検出部、  ２３、１２３・・抑圧率算出部、  ２４、１２４・・抑圧パルス生成部、  ２５・・比較部、  ２６、１２５・・テーブル制御部、  ２７、１２６・・合成部、  Ａ１〜Ａｎ、Ｃ１〜Ｃｎ・・係数格納部、  Ｂ１〜Ｂｎ、Ｄ１〜Ｄｎ・・抑圧信号生成部、
【図１】
2011071755.tif 000009
【図２】
2011071755.tif 000010
【図３】
2011071755.tif 000011
【図４】
2011071755.tif 000012
【図５】
2011071755.tif 000013
【図６】
2011071755.tif 000014